【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
ハイブリッド自動再送要求（ＨＡＲＱ）を提供する無線接続システムにおいて，二つの伝送ブロックを用いてチャネル品質制御情報（ＣＱＩ）を送信する方法であって，
端末が，ダウンリンク制御情報（ＤＣＩ）を含む物理ダウンリンク制御チャネル（ＰＤＣＣＨ）信号を受信するステップと，
前記ＤＣＩを用いて前記ＣＱＩを送信するために必要な符号化シンボルの個数（Ｑ’）を計算するステップと，
前記符号化シンボルの個数に基づいて前記ＣＱＩを、前記ＨＡＲＱが適用される物理アップリンク共有チャネル（ＰＵＳＣＨ）を介して送信するステップと，を有し，
前記符号化シンボルの個数（Ｑ’）は，式
【数１】
2012170080.tif 000001
を用いて計算され，
前記ＤＣＩには，前記ＣＱＩを送信するための伝送ブロックに関する副搬送波の個数情報（ＭＰＵＳＣＨ−ｉｎｉｔｉａｌ（ｘ）ＳＣ）と，前記伝送ブロックと関連する符号ブロックの個数に関する情報（Ｃ（ｘ））と，前記符号ブロックのサイズに関する情報（Ｋ（ｘ）ｒ）とが含まれ，
前記ＮＰＵＳＣＨ−ｉｎｉｔｉａｌ（ｘ）ｓｙｍｂは、初期ＰＵＳＣＨ送信当たりの単一搬送波周波数分割多元接続（ＳＣ−ＦＤＭＡ）シンボルの数を表し、
前記‘ｘ’は，前記二つの伝送ブロックのうち一つである前記伝送ブロックのインデックスである，方法。
【請求項２】
前記インデックス‘ｘ’は，前記二つの伝送ブロックのうち，変調及び符号化方式（ＭＣＳ）レベルが高い伝送ブロックを表す，請求項１に記載の方法。
【請求項３】
前記二つの伝送ブロックの変調及び符号化方式（ＭＣＳ）レベルが同じ場合に，前記伝送ブロックは前記二つの伝送ブロックのうちの最初の伝送ブロックである，請求項１に記載の方法。
【請求項４】
前記端末は，前記ＣＱＩを，前記ＨＡＲＱ方式を用いて再送信するアップリンクデータにピギーバックして送信する，請求項１に記載の方法。
【請求項５】
前記端末が前記アップリンクデータに関する情報を計算するステップを更に有し，
前記アップリンクデータに関する情報は，式
【数２】
2012170080.tif 000002
を用いて計算される，請求項４に記載の方法。
【請求項６】
ハイブリッド自動再送要求（ＨＡＲＱ）を提供する無線接続システムにおいて，二つの伝送ブロックを用いてチャネル品質制御情報（ＣＱＩ）を受信する方法であって，
基地局が端末にダウンリンク制御情報（ＤＣＩ）を含む物理ダウンリンク制御チャネル（ＰＤＣＣＨ）信号を送信するステップと，
前記端末から、前記ＨＡＲＱが適用される物理アップリンク共有チャネル（ＰＵＳＣＨ）を介して前記ＣＱＩを受信するステップと，を有し，
前記ＣＱＩを送信するために必要な符号化シンボルの個数（Ｑ’）は，式
【数３】
2012170080.tif 000003
を用いて計算され，
前記ＤＣＩには，前記ＣＱＩを送信するための伝送ブロックに関する副搬送波の個数情報（ＭＰＵＳＣＨ−ｉｎｉｔｉａｌ（ｘ）ＳＣ）と，前記伝送ブロックと関連する符号ブロックの個数に関する情報（Ｃ（ｘ））と，前記符号ブロックのサイズに関する情報（Ｋ（ｘ）ｒ）とが含まれ，
前記ＮＰＵＳＣＨ−ｉｎｉｔｉａｌ（ｘ）ｓｙｍｂは、初期ＰＵＳＣＨ送信当たりの単一搬送波周波数分割多元接続（ＳＣ−ＦＤＭＡ）シンボルの数を表し、
前記‘ｘ’は，前記二つの伝送ブロックのうち一つである前記伝送ブロックのインデックスである，方法。
【請求項７】
前記インデックス‘ｘ’は，前記二つの伝送ブロックのうち，変調及び符号化方式（ＭＣＳ）レベルが高い伝送ブロックを表す，請求項６に記載の方法。
【請求項８】
前記二つの伝送ブロックの変調及び符号化方式（ＭＣＳ）レベルが同じ場合に，前記伝送ブロックは前記二つの伝送ブロックのうちの最初の伝送ブロックである，請求項６に記載の方法。
【請求項９】
前記ＣＱＩは，前記ＨＡＲＱ方式を用いて再送信されるアップリンクデータにピギーバックされて受信される，請求項６に記載の方法。
【請求項１０】
前記アップリンクデータに関する情報は，式
【数４】
2012170080.tif 000004
を用いて計算される，請求項９に記載の方法。
【請求項１１】
ハイブリッド自動再送要求（ＨＡＲＱ）を提供する無線接続システムにおいて，二つの伝送ブロックを用いてチャネル品質制御情報（ＣＱＩ）を送信する端末であって，
無線信号を送信するための送信モジュールと，
無線信号を受信するための受信モジュールと，
前記ＣＱＩの送信を提供するプロセッサと，を備え，
前記端末は，
ダウンリンク制御情報（ＤＣＩ）を含む物理ダウンリンク制御チャネル（ＰＤＣＣＨ）信号を受信し，
前記ＤＣＩを用いて前記ＣＱＩを送信するために必要な符号化シンボルの個数（Ｑ’）を計算し，
前記符号化シンボルの個数に基づいて前記ＣＱＩを、前記ＨＡＲＱが適用される物理アップリンク共有チャネル（ＰＵＳＣＨ）を介して送信し，
前記符号化シンボルの個数（Ｑ’）は，式
【数５】
2012170080.tif 000005
を用いて計算され，
前記ＤＣＩには，前記ＣＱＩを送信するための伝送ブロックに関する副搬送波の個数情報（ＭＰＵＳＣＨ−ｉｎｉｔｉａｌ（ｘ）ＳＣ）と，前記伝送ブロックと関連する符号ブロックの個数に関する情報（Ｃ（ｘ））と，前記符号ブロックのサイズに関する情報（Ｋ（ｘ）ｒ）とが含まれ，
前記ＮＰＵＳＣＨ−ｉｎｉｔｉａｌ（ｘ）ｓｙｍｂは、初期ＰＵＳＣＨ送信当たりの単一搬送波周波数分割多元接続（ＳＣ−ＦＤＭＡ）シンボルの数を表し、
前記‘ｘ’は，前記二つの伝送ブロックのうち一つである前記伝送ブロックのインデックスである，端末。
【請求項１２】
前記インデックス‘ｘ’は，前記二つの伝送ブロックのうち，変調及び符号化方式（ＭＣＳ）レベルが高い伝送ブロックを表す，請求項１１に記載の端末。
【請求項１３】
前記二つの伝送ブロックの変調及び符号化方式（ＭＣＳ）レベルが同じ場合に，前記伝送ブロックは前記二つの伝送ブロックのうちの最初の伝送ブロックである，請求項１１に記載の端末。
【請求項１４】
前記ＣＱＩを，前記ＨＡＲＱ方式を用いて再送信するアップリンクデータにピギーバックして送信する，請求項１１に記載の端末。
【請求項１５】
前記アップリンクデータに関する情報を，式
【数６】
2012170080.tif 000006
を用いて計算する，請求項１４に記載の端末。
【請求項１６】
ハイブリッド自動再送要求（ＨＡＲＱ）を提供する無線接続システムにおいて，二つの伝送ブロックを用いてチャネル品質制御情報（ＣＱＩ）を送信する基地局（ｅＮＢ）であって，
無線信号を送信するための送信モジュールと，
無線信号を受信するための受信モジュールと，
前記ＣＱＩの送信を提供するプロセッサと，を備え，
前記ｅＮＢは，ダウンリンク制御情報（ＤＣＩ）を含む物理ダウンリンク制御チャネル（ＰＤＣＣＨ）信号を端末（ＵＥ）へ送信し，かつ前記ＵＥから、前記ＨＡＲＱが適用される物理アップリンク共有チャネル（ＰＵＳＣＨ）を介して前記ＣＱＩを受信し，
前記ＣＱＩを送信するために必要な符号化シンボルの個数（Ｑ’）は，式
【数７】
2012170080.tif 000007
を用いて計算され，
前記ＤＣＩには，前記ＣＱＩを送信するための伝送ブロックに関する副搬送波の個数情報（ＭＰＵＳＣＨ−ｉｎｉｔｉａｌ（ｘ）ＳＣ）と，前記伝送ブロックと関連する符号ブロックの個数に関する情報（Ｃ（ｘ））と，前記符号ブロックのサイズに関する情報（Ｋ（ｘ）ｒ）とが含まれ，
前記ＮＰＵＳＣＨ−ｉｎｉｔｉａｌ（ｘ）ｓｙｍｂは、初期ＰＵＳＣＨ送信当たりの単一搬送波周波数分割多元接続（ＳＣ−ＦＤＭＡ）シンボルの数を表し、
前記‘ｘ’は，前記二つの伝送ブロックのうち一つである前記伝送ブロックのインデックスである，基地局。
【請求項１７】
前記インデックス‘ｘ’は，前記二つの伝送ブロックのうち，変調及び符号化方式（ＭＣＳ）レベルが高い伝送ブロックを表す，請求項１６に記載の基地局。
【請求項１８】
前記二つの伝送ブロックの変調及び符号化方式（ＭＣＳ）レベルが同じ場合に，前記伝送ブロックは前記二つの伝送ブロックのうちの最初の伝送ブロックである，請求項１６に記載の基地局。
【請求項１９】
前記ＣＱＩは，前記ＨＡＲＱ方式を用いて再送信されるアップリンクデータにピギーバックされて受信される，請求項１６に記載の基地局。
【請求項２０】
前記アップリンクデータに関する情報は，式
【数８】
2012170080.tif 000008
を用いて計算される，請求項１９に記載の基地局。